(57)【要約】      （修正有）【課題】液体の吐出時に生じるミストによる汚染をより効果的に防止することが可能な液体吐出装置を提供する。【解決手段】プラテン４側に配置されたプラテン磁石１６ａ，１６ｂにより形成される磁場Ｂ１と、キャリッジ３に搭載された記録ヘッド２のノズル形成面側に配置されたキャリッジ磁石３０ａ，３０ｂにより形成される磁場Ｂ２とにより、記録ヘッドのノズル２３から吐出されたインク（メイン液滴）から分離したミストＭｓを、ミストを忌避すべきノズル形成面や記録媒体Ｓ等から遮蔽し、あるいは、捕捉する。【選択図】図５
2016196143.tif 000002
【特許請求の範囲】
【請求項１】
ノズルが開設されたノズル形成面を有し、前記ノズルから被着弾物に向けて液体を吐出させる液体吐出ヘッドと、
前記液体吐出ヘッドの配置領域又は移動領域の少なくとも一部に磁場、電場、又は音響場からなる外場を形成する外場形成機構と、
を備え、
前記外場により、前記ノズルからの液体の吐出に伴って生じるミストを、ミスト忌避対象から遮蔽し又は捕捉することを特徴とする液体吐出装置。
【請求項２】
吐出動作を行う際の前記液体吐出ヘッドのノズル形成面と相対して配置され、前記被着弾物を支持する支持台を備え、
前記支持台側又は前記ノズル形成面側の少なくとも何れか一方に前記外場形成機構が設けられ、
前記外場形成機構は、前記支持台と前記ノズル形成面との間に前記外場を形成することを特徴とする請求項１に記載の液体吐出装置。
【請求項３】
前記外場形成機構が、前記支持台に複数配設された電磁石から構成され、複数の電磁石のうち前記外場の形成位置に応じた電磁石を通電させることを特徴とする請求項２に記載の液体吐出装置。
【請求項４】
前記液体吐出ヘッドの移動領域内に、ノズルのメンテナンスの目的として前記ノズルから液体を吐出するメンテナンス領域を備え、
前記外場形成機構は、前記メンテナンス領域と前記ノズル形成面との間に前記外場を形成することを特徴とする請求項１から請求項３の何れか一項に記載の液体吐出装置。
【発明の詳細な説明】
【技術分野】
【０００１】
本発明は、インクジェット式記録装置などの液体吐出装置に関し、特に、ノズルから液体を吐出する液体吐出ヘッドを備えた液体吐出装置に関するものである。
【背景技術】
【０００２】
液体吐出装置は液体吐出ヘッドを備え、この吐出ヘッドから各種の液体を吐出する装置である。この液体吐出装置としては、例えば、インクジェット式プリンターやインクジェット式プロッター等の画像記録装置があるが、最近ではごく少量の液体を所定位置に正確に着弾させることができるという特長を生かして各種の製造装置にも応用されている。例えば、液晶ディスプレイ等のカラーフィルタを製造するディスプレイ製造装置，有機ＥＬ（Electro Luminescence）ディスプレイやＦＥＤ（面発光ディスプレイ）等の電極を形成する電極形成装置，バイオチップ（生物化学素子）を製造するチップ製造装置に応用されている。そして、画像記録装置用の記録ヘッドでは液状のインクを吐出し、ディスプレイ製造装置用の色材吐出ヘッドではＲ（Red）・Ｇ（Green）・Ｂ（Blue）の各色材の溶液を吐出する。また、電極形成装置用の電極材吐出ヘッドでは液状の電極材料を吐出し、チップ製造装置用の生体有機物吐出ヘッドでは生体有機物の溶液を吐出する。
【０００３】
液体吐出ヘッドでは、ノズルから吐出された液滴から分離した微小な液滴（ミスト）が生じることがある。そして、このミストが装置内における意図しない部位に付着して汚染する問題があった。このような不具合を防止すべく、記録ヘッドを搭載したキャリッジが移動する際に、当該キャリッジと静電気発生部材とを摺接させることによりキャリッジの表面に静電気を帯電させ、ミストを静電気力により吸着させて回収する構成が提案されている（例えば、特許文献１参照）。
【先行技術文献】
【特許文献】
【０００４】
【特許文献１】特開２００６−２０５４３４号公報
【発明の概要】
【発明が解決しようとする課題】
【０００５】
しかしながら、上記の構成では、一定の極性に帯電したミストしか回収できず、また、装置内のミスト忌避対象である構成部品の帯電極性も各々異なるため、ミストの付着を効果的に抑制することが困難であった。
【０００６】
本発明は、このような事情に鑑みてなされたものであり、その目的は、液体の吐出時に生じるミストによる汚染をより効果的に防止することが可能な液体吐出装置を提供することにある。
【課題を解決するための手段】
【０００７】
〔手段１〕
本発明の液体吐出装置は、上記目的を達成するために提案されたものであり、ノズルが開設されたノズル形成面を有し、前記ノズルから被着弾物に向けて液体を吐出させる液体吐出ヘッドと、
前記液体吐出ヘッドの配置領域又は移動領域の少なくとも一部に磁場、電場、又は音響場からなる外場を形成する外場形成機構と、
を備え、
前記外場により、前記ノズルからの液体の吐出に伴って生じるミストを、ミスト忌避対象から遮蔽し又は捕捉することを特徴とする。
【０００８】
手段１の構成によれば、外場形成機構により形成される外場により、ノズルからの液体の吐出に伴って生じるミストを、ミスト忌避対象から遮蔽し又は捕捉するので、装置内におけるミストの飛散を外場によって規制することができる。これにより、ミストの帯電極性や装置内の構成部品（例えば、駆動モーター、駆動ベルト、液体吐出ヘッドのノズル形成面、記録媒体など）の帯電極性によらず構成部品へのミストの付着がより効果的に抑制される。
【０００９】
〔手段２〕
手段１の構成において、吐出動作を行う際の前記液体吐出ヘッドのノズル形成面と相対して配置され、前記被着弾物を支持する支持台を備え、
前記支持台側又は前記ノズル形成面側の少なくとも何れか一方に前記外場形成機構が設けられ、
前記外場形成機構は、前記支持台と前記ノズル形成面との間に前記外場を形成する構成を採用することが望ましい。
【００１０】
手段２の構成によれば、液体吐出ヘッドから被着弾物に向けてノズルから液体を吐出させる際に生じるミストを遮蔽又は捕捉することができる。
【００１１】
〔手段３〕
上記手段３の構成において、前記外場形成機構が、前記支持台に複数配設された電磁石から構成され、複数の電磁石のうち前記外場の形成位置に応じた電磁石を通電させる構成を採用することが望ましい。
【００１２】
手段３の構成によれば、支持台に複数配設された電磁石のうち外場の形成位置に応じた電磁石を選択的に通電させることで、例えば、ミストの付着を忌避する領域には外場を形成し、ミストの付着を許容する領域には外場を形成しないような制御を行うことができる。これにより、ミストの付着を忌避する領域に対するミストの付着を防止しつつも、液体吐出ヘッドから被着弾物に対して着弾させるべき液体に対する外場の影響を抑えることができる。
【００１３】
〔手段４〕
上記手段３の構成において、前記液体吐出ヘッドの移動領域内に、ノズルのメンテナンスの目的として前記ノズルから液体を吐出するメンテナンス領域を備え、
前記外場形成機構は、前記メンテナンス領域と前記ノズル形成面との間に前記外場を形成する構成を採用することが望ましい。
【００１４】
手段４の構成によれば、液体吐出ヘッドからメンテナンス領域に向けてノズルから液体を吐出させる際に生じるミストを遮蔽又は捕捉することができる。
【図面の簡単な説明】
【００１５】
【図１】プリンターの内部構成を説明する正面図である。
【図２】プラテンの構成を説明する平面図である。
【図３】記録ヘッドの内部構成を説明する要部断面図である。
【図４】キャリッジの下面の構成を説明する平面図である。
【図５】記録動作におけるミストの処理について説明する模式図である。
【図６】記録動作におけるミストの処理について説明する模式図である。
【図７】第２の実施形態におけるフラッシングボックス近傍の正面図である。
【図８】第３の実施形態におけるプラテンの構成を説明する平面図である。
【発明を実施するための形態】
【００１６】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明の液体吐出装置として、インクジェット式記録装置（以下、プリンター）を例に挙げて説明する。
【００１７】
図１はプリンター１の内部構成を示す正面図である。このプリンター１は、筐体内に液体吐出ヘッドの一種である記録ヘッド２を搭載したキャリッジ３と、印刷処理（記録動作）時の記録ヘッド２の下方に配設されたプラテン４（本発明における支持台に相当）と、キャリッジ３の移動範囲における一端部（図中、右側の端部）に配置されたキャッピング機構５と、キャリッジ３の移動範囲における他端部（図中、左側の端部）に配置されたフラッシングボックス６（本発明におけるメンテナンス領域に相当）と、を備えている。
【００１８】
キャリッジ３は、筐体の長手方向に架設されたガイドロッド７に軸支された状態で取り付けられており、図示しないキャリッジモーターの駆動によりガイドロッド７に沿って主走査方向に移動する。キャリッジ３の移動範囲内におけるプラテン４よりも外側の端部領域には、キャリッジ３の走査の基点となるホームポジションが設定されている。本実施形態におけるホームポジションにはキャッピング機構５が配置されている。また、ホームポジションとはキャリッジ３の移動範囲の反対側には、フラッシングボックス６が配置されている。キャッピング機構５は、例えば、エラストマー等の弾性部材からなるキャップ９を有しており、当該キャップ９を記録ヘッド２のノズル形成面（ノズルプレート１８）に対して当接させて封止したキャッピング状態あるいは当該ノズル形成面から離隔した待避状態に変換可能に構成されている。フラッシングボックス６は、記録用紙等の記録媒体Ｓ（図５参照）に対する記録処理とは別に記録ヘッド２のノズルからインクを強制的に吐出させるフラッシング処理の際に吐出されたインクを受けるトレイ状のインク受部１０を有する。プリンター１の筐体内において、背面側にはミスト回収機構１１が配設されている。このミスト回収機構１１は、ファン１２を回転させることで、筐体内のミストを吸引して回収する。
【００１９】
そして、本実施形態におけるプリンター１は、ホームポジションから反対側の端部へ向けてキャリッジ３が移動する往動時と、反対側の端部からホームポジション側にキャリッジ３が戻る復動時との双方向で記録媒体（本発明における被着弾物に相当）上に文字や画像等を記録する。
【００２０】
図２は、プラテン４の構成を説明する平面図である。プラテン４は、主走査方向に長尺な支持台であり、印刷対象の記録媒体を支持する。本実施形態におけるプラテン４は、直方体状の本体部１３と、当該本体部１３の上面（印刷時における記録ヘッド２のノズル形成面に対向する側の面）の長手方向に沿って所定の間隔で複数突設された支持突起１４と、この支持突起１４が配設された領域を挟んで、記録媒体の搬送方向（副走査方向）の上流側と下流側にそれぞれ配設されたプラテン磁石１６ａ，１６ｂを備えている。
【００２１】
各支持突起１４は、リブ状の突起である。各支持突起１４の上面は記録媒体を支える当接面となり、記録媒体の背面（インクが着弾する側の面とは反対側の面）を部分的に支える。プラテン磁石１６ａ，１６ｂ（本発明における外場形成機構に相当）は、プラテン４の長手方向に沿って長尺な棒状あるいはシート状の磁石であり、表裏の磁極が異なっている。また、プラテン磁石１６ａ，１６ｂの上面側の磁極、すなわち、記録ヘッド２のノズル形成面と対向する側の面の磁極は、互いに異なっている。図２の構成では、搬送方向上流側に位置する第１のプラテン磁石１６ａの上面側の磁極は負極（Ｓ極）とされており、同じく下流側に位置する第２のプラテン磁石１６ｂの上面側の磁極は正極（Ｎ極）となっている。これにより、これらのプラテン磁石１６ａ，１６ｂの間には、記録媒体の搬送方向に沿った磁場Ｂ１（本発明における外場に相当）が形成される（図５参照）。これらのプラテン磁石１６ａ，１６ｂにより形成される磁場Ｂ１と、後述するノズル形成面側のキャリッジ磁石３０ａ，３０ｂにより形成される磁場Ｂ２とにより、記録ヘッド２から吐出されたインク（メイン液滴）から分離したミストを、ミストを忌避すべきノズル形成面や記録媒体等から遮蔽し、あるいは、捕捉するように構成されている。この点については後述する。
【００２２】
図３は、記録ヘッド２の内部構成を説明する要部断面図である。
本実施形態における記録ヘッド２は、ノズルプレート１８、流路基板１９、および、圧電素子２０等から概略構成され、これらの部材を積層した状態でケース２２に取り付けられている。ノズルプレート１８は、所定のピッチで複数のノズル２３が副走査方向に沿って列状に開設されたシリコン基板製あるいはステンレス鋼等の金属製の板材である。本実施形態では、並設された複数のノズル２３から構成されるノズル列（ノズル群）は、例え３６０個のノズル２３によって構成される。そして、このノズルプレート１８においてノズル２３からインクが吐出される側の面が、ノズル形成面に相当する。
【００２３】
流路基板１９は、圧力室２４となる空部が各ノズル２３に対応して複数形成されている。この流路基板１９における圧力室２４の列の外側には、各圧力室２４に共通な空部である共通液室２５が形成されている。この共通液室２５は、インク供給口２６を介して各圧力室２４と個々に連通している。また、共通液室２５には、インクカートリッジ側からのインクがケース２２のインク導入路２７を通じて導入される。流路基板１９のノズルプレート１８側とは反対側の上面には、弾性膜３５を介して圧電素子２０（アクチュエーターの一種）が形成されている。圧電素子２０は、金属製の下電極膜と、例えばチタン酸ジルコン酸鉛等からなる圧電体層と、金属からなる上電極膜（何れも図示せず）とを順次積層することで形成されている。この圧電素子２０は、所謂撓みモードの圧電素子であり、圧力室２４の上部を覆うように形成されている。この圧電素子２０は、配線部材２８を通じて駆動信号（駆動電圧）が印加されることにより変形する。これにより、当該圧電素子２０に対応する圧力室２４内のインクに圧力振動が生じ、このインクの圧力振動を制御することによりノズル２３からインクが吐出される。
【００２４】
図４は、記録ヘッド２が搭載されたキャリッジ３の下面（プラテン４と対向する側の面）の構成を説明する平面図である。キャリッジ３の下面側には、記録ヘッド２がノズル形成面を露出させた状態で取り付けられる。また、キャリッジ３の下面において、この記録ヘッド２のノズル形成面を挟んで記録媒体の搬送方向（副走査方向）の上流側と下流側には、それぞれキャリッジ磁石３０ａ，３０ｂが設けられている。これらのキャリッジ磁石３０ａ，３０ｂは、プラテン磁石１６ａ，１６ｂと同様に、キャリッジ３の主走査方向に沿って長尺な棒状あるいはシート状の磁石である。図４の構成では、搬送方向上流側に位置する第１のキャリッジ磁石３０ａの表面側（プラテン４と対向する側）の磁極は負極（Ｓ極）とされており、同じく下流側に位置する第２のキャリッジ磁石３０ｂの表面面側の磁極は正極（Ｎ極）となっている。これにより、キャリッジ磁石３０ａ，３０ｂの間には、記録媒体Ｓの搬送方向に沿った磁場Ｂ２（本発明における外場に相当）が形成される（図５参照）。
【００２５】
図５および図６は、記録動作におけるミストの処理について説明する模式図であり、図５は記録ヘッド２およびプラテン４を側方から観た状態、図６は記録ヘッド２およびプラテン４を前方から観た状態をそれぞれ示している。上記のようにプラテン４側に設けられたプラテン磁石１６ａ，１６ｂとノズル形成面側に設けられたキャリッジ磁石３０ａ，３０ｂとにより、記録ヘッド２のノズル形成面（ノズルプレート１８）とプラテン４上に載置された記録媒体Ｓとの間に、記録媒体Ｓの搬送方向（図５中、矢印で示す方向）に沿った磁場Ｂ１，Ｂ２が形成される。圧電素子２０に対して正極性の駆動信号（駆動電圧）が印加されて記録ヘッド２のノズル２３からインクが吐出される際、一般的なプリンターでは、インク滴が正極性に帯電し、記録媒体に向けて飛翔している間、レナード効果により正極性側に帯電が強まる。ノズル２３から吐出されたインク滴は、記録媒体Ｓに着弾するまでの間、先頭のメイン液滴（主液滴）Ｄｍとそれよりも細かい微小液滴（ミスト）Ｍｓとに分離する。メイン液滴Ｄｍは、ミストＭｓよりも十分に重量があるため磁場Ｂ１，Ｂ２の影響を受けたとしても記録媒体Ｓ上に着弾する。
【００２６】
ここで、メイン液滴Ｄｍから分離したミストＭｓも正負いずれかの極性に帯電する。そして、記録ヘッド２のノズル形成面とプラテン４上の記録媒体Ｓとの間に、インク吐出方向と交差し且つ搬送方向に沿った磁場Ｂ１，Ｂ２が形成されているので、この間にあるミストＭｓは荷電粒子のように振る舞い、図６に示すように、磁場Ｂ１，Ｂ２内でクーロン力Ｆを向心力として円運動を行う（ミストＭｓが正極性に帯電した場合）。なお、ミストＭｓが負極性に帯電した場合は図とは逆向きの円運動を行う。すなわち、ミストＭｓは、磁場Ｂ１，Ｂ２によってノズル形成面とプラテン４上の記録媒体Ｓとの間に捕捉される。換言すると、ミストＭｓが、ミスト忌避対象であるノズル形成面や記録媒体Ｓから磁場Ｂ１，Ｂ２によって遮蔽される。これにより、プリンター１の内部（装置内）におけるミストの飛散を磁場Ｂ１，Ｂ２によって規制することができる。そして、このミストＭｓは、記録ヘッド２の移動に伴う気流に帯同し、ミスト回収機構１１の近傍に移動した際に、当該ミスト回収機構１１によって回収される。これにより、ミストの帯電極性や装置内の構成部品（例えば、駆動モーター、駆動ベルト、記録ヘッド２のノズル形成面、記録媒体Ｓ、プラテン４など）の帯電極性によらず構成部品へのミストＭｓの付着がより効果的に抑制される。なお、ミスト回収機構１１としては、ファン１２を回転させてミストＭｓを吸引する構成に限られず、例えば、静電吸着力を利用した回収機構を採用することもできる。
【００２７】
ところで、上記第１の実施形態では、プラテン４とキャリッジ３にそれぞれ磁石１６，３０が配設され、記録動作中のノズル形成面とプラテン４上の記録媒体Ｓとの間に搬送方向に沿った外場である磁場Ｂ１，Ｂ２が形成された構成を例示したが、これには限られない。例えば、プラテン４とキャリッジ３における磁石１６，３０の配置位置をそれぞれキャリッジ３の主走査方向の端部に変更して、記録動作中のノズル形成面とプラテン４上の記録媒体Ｓとの間に主走査方向に沿った磁場が形成される構成としても同様な効果を奏し得る。また、外場形成機構は、ノズル形成面側とプラテン４側のうちの一方に配置してもよい。この場合、他方を良導体金属等で構成し、当該他方に誘導磁界を発生させてもよい。
【００２８】
また、外場（磁場）を形成する位置に関し、記録動作中のノズル形成面とプラテン４上の記録媒体Ｓとの間には限られない。要は、記録ヘッド２の配置領域又は移動領域において、特にミストを忌避すべき構成部品や領域がある位置に外場を形成する構成であればよい。
【００２９】
図７は、本発明の第２の実施形態の構成を説明するフラッシングボックス６の周辺（メンテナンス領域）の正面図である。この第２の実施形態では、メンテナンス処理としてのフラッシング処理が行われる領域であるフラッシングボックス６のインク受部１０に、相互に極性の異なる一対のボックス磁石３１が搬送方向両側にそれぞれ設けられ、フラッシングボックス６の上方に移動してきた記録ヘッド２のノズル形成面との間に磁場が形成されるように構成されている。この構成では、記録媒体Ｓの記録動作が行われた後、記録ヘッド２がフラッシングボックス６の上方に移動してきた際に記録ヘッド２に帯同してきたミストをこの領域に保持し、記録ヘッド２がホームポジション側に戻った際に、フラッシングボックス６の近傍に配置されたミスト回収機構１１により除去することができる。また、フラッシング処理では、一度に多くのインクがノズル２３から吐出されるため、ミストが印刷処理時よりも多く生じやすい。本実施形態においては、フラッシング処理で生じたミストについてもインク受部１０とノズル形成面との間に捕捉され、フラッシング処理後等に、フラッシングボックス６の近傍に配置されたミスト回収機構１１により回収される。これにより、フラッシング処理で生じたミストが、プリンター１の内部におけるミスト忌避対象に付着することが抑制される。その他の構成は第１の実施形態と同様である。
【００３０】
図８は、第３の実施形態におけるプラテン４の部分平面図である。上記各実施形態においては、磁石により磁界を形成する構成を例示したが、これには限られず、電磁石を用いて外場としての磁界を形成する構成を採用することも可能である。本実施形態においては、プラテン４に複数の電磁石３３が配設されており、これらの複数の電磁石３３の中から選択的に通電して磁界を発生させることが可能に構成されている。これにより、ミストの付着を忌避する領域には磁場を形成し、ミストの付着を許容する領域には磁場を形成しないような制御を行うことができる。このため、ミストの付着を忌避する領域に対するミストの付着を防止しつつも、記録ヘッド２から記録媒体Ｓに対して着弾させるべきインク（メイン液滴Ｄｍ）に対する磁場の影響を抑えることができる。また、敢えてミストの付着を許容する領域を設けることで、装置内を浮遊するミストを低減することができる。
【００３１】
より具体的には、例えば、記録媒体Ｓにおいて画像等が形成されない余白に対応する部分にミストが付着すると目立ちやすいため、図８に示すように、記録媒体Ｓの余白に対応する部分の電磁石３３に通電して電界を形成することで余白部分にミストが付着することが抑制される。その一方で、画像等を記録領域には磁場が形成されないので、メイン液滴Ｄｍに対する磁場の影響を抑えることができる。また、例えば、記録媒体Ｓにおける一部の領域に画像等が形成され、それ以外の領域にはほとんど画像等が形成されないような場合、画像等が形成される領域（高ＤＵＴＹ領域）以外の領域（低ＤＵＴＹ領域）に選択的に磁界を形成することで、この低ＤＵＴＹ領域以外にミストが付着することが抑制され、画像等の形成領域にはメイン液滴Ｄｍを精度よく着弾させることができる。さらに、例えば、記録媒体Ｓの縁を含めて記録面の全面に画像等を印刷する、いわゆる縁なし印刷処理の際に、記録媒体Ｓよりも外側の周囲に選択的に磁界を形成することで、記録媒体Ｓの縁に近い部分への吐出により発生したミストがプラテン４等に付着することが防止される。
【００３２】
また、第３の実施形態における構成では、記録媒体Ｓの種類によって磁界の有無を選択したり、磁界の形成位置を任意に選択したりすることができる。例えば、普通紙、塩化ビニール、合成紙等、種類が異なると帯電列の順位も異なり、また、ミストの許容あるいは忌避の度合も異なるため、これに応じて磁界の有無や磁界の形成位置を設定することで、多様な被着弾物に対応することが可能となる。
【００３３】
さらに、上記各実施形態では、外場として磁場を形成する構成を例示したがこれには限られない。電場、磁場、又は音響場等、ミストに対して作用する外場を形成する構成であればよい。例えば、外場を形成する領域を囲むように２つ以上のスピーカー（外場形成機構に相当）を配置し、それぞれのスピーカーから当該領域に向けて音波を発生し、外場として音響場を形成する構成を採用することも可能である。音響場の場合、定在波の節を利用してミストを保持することができる。また、進行波とすることによりミストを運搬することもできる。この音響場を記録動作時のノズル形成面とプラテン４との間に形成してもよいし、フラッシング領域におけるノズル形成面とフラッシングボックス６との間に形成してもよい。この構成によれば、ミストの帯電極性あるいは帯電の有無によらず、ミストの忌避対象へのミストの付着を抑制することができる。
【００３４】
さらに、音響場を利用して、記録媒体Ｓに対してメイン液滴Ｄｍを狙った位置に精度よく着弾させるようにすることも可能である。例えば、ノズル形成面と記録媒体Ｓとの間に格子状に音響場を形成し、１つの格子が画像の単位である画素に対応するようにして、ノズル２３から吐出されたメイン液滴Ｄｍを音響場の格子内に誘導することで狙った位置に着弾させることができる。この構成によれば、特に、記録媒体Ｓ（被着弾物）が厚紙や布帛等のように比較的厚さのある場合等のように、記録媒体Ｓとノズル２３との間の距離が比較的大きく設定される場合に着弾精度の低下を抑制することが可能となる。
【００３５】
また、上記各実施形態では、記録媒体Ｓに対して記録ヘッド２が相対移動しつつノズル２３からインクを吐出する所謂シリアル側のプリンターを例示したが、これには限られず、記録ヘッドの移動（走査）を行わずに記録媒体Ｓの搬送を行いつつノズルからインクを吐出させる所謂ライン型のプリンターにも本発明を適用することが可能である。この場合、例えば、記録ヘッドのノズル形成面と、このノズル形成面に相対配置された支持台等との間（液体吐出ヘッドの配置領域）に外場を形成する構成を採用することができる。
【００３６】
そして、本発明は、ノズルから液体を吐出する液体吐出装置であれば、プリンターに限らず、プロッター、ファクシミリ装置、コピー機等、各種のインクジェット式記録装置や、記録装置以外の液体吐出装置、例えば、ディスプレイ製造装置、電極製造装置、チップ製造装置等にも適用することができる。そして、ディスプレイ製造装置では、色材吐出ヘッドからＲ（Ｒｅｄ）・Ｇ（Ｇｒｅｅｎ）・Ｂ（Ｂｌｕｅ）の各色材の溶液を吐出する。また、電極製造装置では、電極材吐出ヘッドから液状の電極材料を吐出する。チップ製造装置では、生体有機物吐出ヘッドから生体有機物の溶液を吐出する。
【符号の説明】
【００３７】
１…プリンター，２…記録ヘッド，３…キャリッジ，４…プラテン，６…フラッシングボックス，１０…インク受部，１１…ミスト回収機構，１６ａ，１６ｂ…プラテン磁石，１８…ノズルプレート，２０…圧電素子，２３…ノズル，３０ａ，３０ｂ…キャリッジ磁石，３１…ボックス磁石，３３…電磁石
【図１】
2016196143.tif 000003
【図２】
2016196143.tif 000004
【図３】
2016196143.tif 000005
【図４】
2016196143.tif 000006
【図５】
2016196143.tif 000007
【図６】
2016196143.tif 000008
【図７】
2016196143.tif 000009
【図８】
2016196143.tif 000010